(57)【要約】【課題】今回設定されているズーム倍率を、次回の電源ＯＮ時に、より正確に再現できる撮像装置を提供する。【解決手段】ズームレンズ１１とＣＣＤイメージセンサ１２と電源２１と電源コントローラ２０とコントローラ１５とフラッシュメモリ１７とを備える。コントローラ１５は、電源コントローラ２０が電源ＯＦＦの制御を開始した際に、コントローラ１５でズーム倍率記憶機能が設定されている場合において、電源２１がＯＮされてから電源コントローラ２０が電源ＯＦＦの制御を開始するまでの間のいずれにおいても、ズーム倍率変更操作手段がズーム倍率を変更するための操作を受け付けていない場合、ズームメモリを更新しない。【選択図】図４
2008170662.tif 000002
【特許請求の範囲】
【請求項１】
ズーム機能を有する撮像手段と、
自装置の電源のＯＮ／ＯＦＦを切り換える電源制御手段と、
前記電源をＯＦＦしたときと次回に電源をＯＮしたときとで前記撮像手段におけるズーム倍率を変えないようにするズーム倍率記憶機能を設定するための設定手段と、
前記撮像手段におけるズーム倍率に関する情報を記憶する記憶手段と、
前記撮像手段におけるズーム倍率を変更するための操作を受け付けるズーム倍率変更操作手段と、
前記記憶手段を制御する制御手段と、を備え、
前記制御手段は、前記電源制御手段が電源ＯＦＦの制御を開始した際に、前記設定手段でズーム倍率記憶機能が設定されている場合において、
前記電源がＯＮされてから前記電源制御手段が電源ＯＦＦの制御を開始するまでの間のいずれかにおいて、前記ズーム倍率変更操作手段が前記ズーム倍率を変更するための操作を受け付けている場合、現在の前記撮像手段におけるズーム倍率に関する情報を記憶するよう前記記憶手段を更新する一方、
前記電源がＯＮされてから前記電源制御手段が電源ＯＦＦの制御を開始するまでの間のいずれにおいても、前記ズーム倍率変更操作手段が前記ズーム倍率を変更するための操作を受け付けていない場合、前記記憶手段を更新しない、
撮像装置。
【請求項２】
ズーム機能を有する撮像手段と、
自装置の電源のＯＮ／ＯＦＦを切り換える電源制御手段と、
前記電源をＯＦＦしたときと次回に電源をＯＮしたときとで前記撮像手段におけるズーム倍率を変えないようにするズーム倍率記憶機能を設定するための設定手段と、
前記撮像手段におけるズーム倍率に関する情報を記憶する記憶手段と、
前記記憶手段を制御する制御手段と、を備え、
前記制御手段は、
前記設定手段でズーム倍率記憶機能が設定されている場合、前記電源制御手段が電源ＯＦＦの制御を開始した際に、前記撮像手段におけるズーム倍率に関する情報を記憶するよう前記記憶手段を制御する一方、
前記設定手段でズーム倍率記憶機能が設定されていない場合、前記電源制御手段が電源ＯＦＦの制御を開始した際に、前記撮像手段におけるズーム倍率に関する情報に代えて、前記ズーム倍率記憶機能は設定されていない旨を記憶するよう前記記憶手段を制御する、
撮像装置。
【発明の詳細な説明】
【技術分野】
【０００１】
本発明は、ズーム機能を有する撮像装置に関し、特に、電源ＯＦＦとＯＮとの前後でズーム倍率が変わらないように制御できる撮像装置に関する。
【背景技術】
【０００２】
電源ＯＦＦとＯＮとの前後でズーム倍率が変わらないように制御できる撮像装置は、特許文献１に開示された撮像装置が知られている。電源ＯＦＦ時に、ズームレンズの位置を記憶する。そして、ＯＮでリセット位置を経由して、記憶位置までズームレンズを移動させる。これにより、電源ＯＦＦと電源ＯＮの前後で、ズーム状態が変わらないので、ズーム倍率を変えて画角を再設定する必要がなくなる。そのため、電源ＯＦＦと電源ＯＮの前後で、同様の画角の画像を撮像しようとする場合、迅速に撮像を開始できるので、操作性が良い。
【特許文献１】特公平７−１１９８６９号公報
【発明の開示】
【発明が解決しようとする課題】
【０００３】
本発明は、今回設定されているズーム倍率を、次回の電源ＯＮ時に、より正確に再現できる撮像装置を提供することを第１の目的とする。
【０００４】
また、本発明は、ズーム倍率情報を記憶するための記憶手段の使用容量を削減することを第２の目的とする。
【課題を解決するための手段】
【０００５】
上記第１の目的を達成するために、本願の第１発明は、撮像手段と電源制御手段と設定手段と記憶手段とズーム倍率変更操作手段と制御手段とを備える撮像装置に関する発明である。撮像手段はズーム機能を有する。電源制御手段は、自装置の電源のＯＮ／ＯＦＦを切り換える。設定手段は、ズーム倍率記憶機能を設定する。記憶手段は、撮像手段におけるズーム倍率に関する情報を記憶する。ズーム倍率変更操作手段は、撮像手段におけるズーム倍率を変更するための操作を受け付ける。制御手段は、記憶手段を制御する。
【０００６】
なお、ズーム倍率記憶機能とは、電源をＯＦＦしたときと次回に電源をＯＮしたときとで撮像手段におけるズーム倍率を変えないようにする機能である。
【０００７】
このような構成において、制御手段は、電源制御手段が電源ＯＦＦの制御を開始した際に、設定手段でズーム倍率記憶機能が設定されている場合において、次の制御を行う。制御手段は、電源がＯＮされてから電源制御手段が電源ＯＦＦの制御を開始するまでの間のいずれかにおいて、ズーム倍率変更操作手段がズーム倍率を変更するための操作を受け付けている場合、現在の撮像手段におけるズーム倍率に関する情報を記憶するよう記憶手段を更新する。一方、制御手段は、電源がＯＮされてから電源制御手段が電源ＯＦＦの制御を開始するまでの間のいずれにおいても、ズーム倍率変更操作手段がズーム倍率を変更するための操作を受け付けていない場合、記憶手段を更新しない。
【０００８】
これにより、ズーム倍率変更操作手段がズーム倍率を変更するための操作を受け付けていない場合、記憶手段を更新しないので、ズーム倍率変更操作手段が操作されていないにも関わらず、今回のズーム状態と前回のズーム状態とがずれてしまうということを防止できる。
【０００９】
上記第２の目的を達成するために、本願の第２発明は、撮像手段と電源制御手段と設定手段と記憶手段と制御手段とを備える撮像装置に関する発明である。撮像手段はズーム機能を有する。電源制御手段は、自装置の電源のＯＮ／ＯＦＦを切り換える。設定手段は、ズーム倍率記憶機能を設定する。記憶手段は、撮像手段におけるズーム倍率に関する情報を記憶する。制御手段は、記憶手段を制御する。
【００１０】
このような構成において、制御手段は、電源制御手段が電源ＯＦＦの制御を開始した際に、次の制御を行う。設定手段でズーム倍率記憶機能が設定されている場合、撮像手段におけるズーム倍率に関する情報を記憶するよう記憶手段を制御する。一方、設定手段でズーム倍率記憶機能が設定されていない場合、電源制御手段が電源ＯＦＦの制御を開始した際に、撮像手段におけるズーム倍率に関する情報に代えて、ズーム倍率記憶機能は設定されていない旨を記憶するよう記憶手段を制御する。
【００１１】
これにより、ズーム倍率に関する情報とズーム倍率記憶機能は設定されていない旨とを択一的に同一の記憶手段に記憶するようにしたので、記憶手段の使用容量を少なくできる。また、２つの情報を同一の記憶手段から読み出せるので、１回の読出し処理で必要な情報を読み出すことができ、読み出し処理を省力化できる。
【発明の効果】
【００１２】
本願の第１発明によれば、今回設定されているズーム倍率を、次回の電源ＯＮ時に、より正確に再現できる。また、本願の第２発明によれば、ズーム倍率情報を記憶するための記憶手段の使用容量を削減することができる。
【発明を実施するための最良の形態】
【００１３】
（実施の形態１）
本発明の実施の形態１に係るデジタルカメラ１について、図１〜図５を用いて詳細に説明する。
【００１４】
１  構成
１−１  デジタルカメラの構成
図１は、デジタルカメラ１の構成を示すブロック図である。
【００１５】
ズームレンズ１１は、デジタルカメラ１の光学系（図示省略）の一部を構成する。ズームレンズ１１は、光軸方向に移動可能である。ズームレンズ１１は、光軸方向に移動することによって、被写体像の倍率（ズーム倍率）を拡大し又は縮小することができる。
【００１６】
ＣＣＤイメージセンサ１２は、光学系（図示省略）で形成された被写体像を撮像し、画像データを生成する。ＡＤＣ（Ａ／Ｄコンバータ）１３は、ＣＣＤイメージセンサ１２で生成された画像データについて、アナログデータからデジタルデータに変換する。画像処理部１４は、ＡＤＣ１３から出力される画像データについて、各種の画像処理を施す。各種の画像処理としては、ガンマ補正、ホワイトバランス補正、ＹＣ変換処理、電子ズーム処理、圧縮処理などが挙げられるが、これらに限定されない。画像処理部１４は、例えば、ＤＳＰなどの半導体回路で実現可能である。
【００１７】
コントローラ１５は、デジタルカメラ１全体を制御する。コントローラ１５は、例えば、マイクロコンピュータなどで実現可能である。バッファメモリ１６は、画像処理部１４やコントローラ１５におけるワークメモリとして機能する。バッファメモリ１６は、例えば、ＤＲＡＭなどで実現できる。フラッシュメモリ１７は、不揮発性メモリである。
【００１８】
フラッシュメモリ１７には、デジタルカメラ１の電源をＯＦＦした後も記憶させておきたい情報を記憶させる。本発明においては、フラッシュメモリ１７は、ズーム倍率情報、機能不設定情報、ズーム操作フラグを記憶可能である。これらの情報の詳細については後述する。なお、ズーム操作フラグは、バッファメモリ１６等の揮発性メモリに記憶させてもよい。ズーム操作フラグは、電源ＯＮからＯＦＦまでの間だけ保持する必要がある情報であり、電源ＯＦＦ期間には保持する必要がない情報だからである。
【００１９】
操作部１８は、各種の設定をするための操作手段である。操作部１８は、例えば、十字キー、ジョイスティック、押下釦、回転ダイアル、タッチセンサ、タッチペンなどで実現可能である。また、音声入力手段及び音声認識手段によっても実現可能である。
【００２０】
操作部１８を操作することにより、ズーム倍率記憶機能を設定できる。ここで、ズーム倍率記憶機能とは、本発明における用語であり、電源２１をＯＦＦしたときと次回に電源２１をＯＮしたときとでズームレンズ１１によるズーム倍率を変えないようにする機能をいう。例えば、電源２１をＯＦＦしたときに光学６倍のズーム倍率であった場合、次回に電源２１をＯＮしたときも光学６倍のズーム倍率に自動的に設定するのである。
【００２１】
なお、電源ＯＦＦという用語は、電源スイッチ１９をＯＦＦ操作して、デジタルカメラ１への電源供給を停止させる場合の他、オートパワーオフ機能によりデジタルカメラ１への電源供給を停止させる場合も含む概念である。電源ＯＮという用語は、電源スイッチ１９をＯＮ操作して、デジタルカメラ１への電源供給を開始させる場合の他、オートパワーオフ状態からの復帰によりデジタルカメラ１への電源供給を開始させる場合も含む概念である。
【００２２】
電源スイッチ１９は、デジタルカメラ１の電源のＯＮ／ＯＦＦを切り換えるための操作を受け付ける電源操作手段である。電源コントローラ２０は、電源スイッチ１９からの出力に応じて、デジタルカメラ１の電源２１のＯＮ／ＯＦＦを切り換える電源制御手段である。電源コントローラ２０は、オートパワーオフ機能を有してもよい。オートパワーオフ機能が起動している場合、電源コントローラ２０は、デジタルカメラ１の電源２１がＯＮの場合に、操作部１８等が所定時間操作されない場合、電源２１からの電源供給を停止する。電源２１は、一般的には、乾電池や充電池、燃料電池等の電池であるが、ＡＣアダプタを介して電力を有線で入力するものであってもよい。
【００２３】
ズームモータ２２は、コントローラ１５からの制御信号に基づいて、ズームレンズ１１を駆動する。ズームモータ２２は、例えば、パルスモータなどで実現可能である。駆動量検出部２３は、ズームモータ２２の駆動量を検出する。駆動量検出部２３は、例えば、ズームモータ２２の駆動パルスをカウントするパルスカウンタにより実現できる。
【００２４】
１−２  本発明の構成との対応
ズームレンズ１１やＣＣＤイメージセンサ１２等を含む構成は、本発明の撮像手段の一例である。ただし、本発明の撮像手段はこれに限定されない。例えば、ズームレンズ１１を備えず、電子ズーム手段のみを備えた構成としてもよい。要するに、本発明の撮像手段は、光学ズーム手段又は／及び電子ズーム手段を備えていればよい。言い換えれば、本発明の撮像手段はズーム機能を有する手段であればよい。
【００２５】
電源コントローラ２０は、本発明の電源制御手段の一例である。コントローラ１５は、各種の手段として用いられ、本発明の設定手段としても用いられる。本発明の設定手段は、ズーム倍率記憶機能を設定する手段であれば他の手段であってもよい。また、コントローラ１５は、本発明の制御手段としても用いられる。本発明の制御手段は、記憶手段を制御するものであればよい。本発明の制御手段は、例えば、１つの半導体素子で構成してもよく、複数の半導体素子を組合わせて構成してもよい。また、半導体素子以外の手段で構成してもよい。
【００２６】
フラッシュメモリ１７は、本発明の記憶手段の一例である。ただし、本発明の記憶手段はこれには限定されない。例えば、強誘電体メモリなどの不揮発性メモリを本発明の記憶手段として用いてもよい。
【００２７】
本発明のズーム倍率変更操作手段は、操作部１８の一部をなすものである。本発明のズーム倍率変更操作手段は、例えば、回転ダイヤルで実現できる。また、回転レバーや押下釦等でも実現可能である。また、リモートコントローラによっても実現可能である。本発明のズーム倍率変更操作手段は、要するに、撮像手段におけるズーム倍率を変更するための操作を受け付ける操作手段であればよい。
【００２８】
１−３  情報について
コントローラ１５は、駆動量検出部２３からの出力に基づいて、ズーム倍率に関する情報を把握する。そして、コントローラ１５は、ズーム倍率に関する情報を前述の「ズーム倍率情報」としてフラッシュメモリ１７の所定領域に記憶させる。したがって、コントローラ１５は、フラッシュメモリ１７の所定領域を参照することにより、記憶されているズーム倍率情報を把握できる。
【００２９】
機能不設定情報とは、コントローラ１５でズーム倍率記憶機能が設定されていない旨を示す情報である。コントローラ１５は、コントローラ１５でズーム倍率記憶機能が設定されていない場合、電源コントローラ２０が電源ＯＦＦの制御を開始した際に、ズーム倍率情報に代えて、機能不設定情報を記憶する。機能不設定情報は、ズーム倍率情報が取り得ない情報とするのが好ましい。例えば、駆動量検出部２３がズームモータ２２の駆動量として０〜７９００の間の値を検出し、その値をズーム倍率情報としてフラッシュメモリ１７に記憶させる場合、機能不設定情報としては例えば８０００という値を用いればよい。８０００は、ズーム倍率情報としては用いられないからである。このように、機能不設定情報はズーム倍率情報が取り得ない情報とするとすることにより、フラッシュメモリ１７の所定領域を読み出すことにより、機能不設定情報が記憶されているか、ズーム倍率情報が記憶されているかを容易に把握することができる。
【００３０】
なお、ズーム倍率情報及び機能不設定情報は、フラッシュメモリ１７の同一記憶領域に、択一的に記憶させるようにしてもよい。これにより、フラッシュメモリ１７の使用容量を節約できる。
【００３１】
ズーム操作フラグは、電源２１がＯＮされてから電源コントローラ２０が電源ＯＦＦの制御を開始するまでの間、ズーム倍率を変更する操作がなされたか否かを示す情報である。ズーム操作フラグは、０又は１の情報を取り得る。電源２１がＯＮされてから電源コントローラが電源ＯＦＦの制御を開始するまでの間のいずれかにおいて、ズーム倍率変更操作手段がズーム倍率を変更するための操作を受け付けている場合、ズーム操作フラグは１となる。これに対して、電源２１がＯＮされてから電源コントローラが電源ＯＦＦの制御を開始するまでの間のいずれにおいても、ズーム倍率変更操作手段がズーム倍率を変更するための操作を受け付けていない場合、ズーム操作フラグは０となる。
【００３２】
２  動作
以上のように構成されたデジタルカメラ１の動作を、図２〜図５を参照して説明する。
【００３３】
２−１  電源ＯＮ時の動作
図２は、電源スイッチ１９をＯＮ操作した際のデジタルカメラ１の動作を説明するためのフローチャートである。
【００３４】
電源スイッチ１９がＯＮ操作されると（Ｓ２０１におけるＹｅｓの場合）、コントローラ１５は、フラッシュメモリ１７内に記憶されているズーム操作フラグを「０」にリセットする（Ｓ２０２）。次に、コントローラ１５は、フラッシュメモリ１７の所定領域に記憶されている情報を読み出す（Ｓ２０３）。ここで、フラッシュメモリ１７の所定領域を便宜上ズームメモリという。
【００３５】
次に、コントローラ１５は、読み出した情報がズーム倍率情報か、機能不設定情報かを判断する（Ｓ２０４）。具体的には、コントローラ１５は、読み出した情報が、０〜７９００のいずれか（ズーム倍率情報）であるか、８０００（機能不設定情報）であるかを判断する。
【００３６】
読み出した情報がズーム倍率情報である場合、コントローラ１５は、読み出したズーム倍率情報が示すズーム倍率になるよう、ズームモータ２２に対して制御信号を発信する。具体的には、コントローラ１５は、読み出したズーム倍率情報に相当するパルスをズームモータ２２に与える。そして、ズームモータ２２は、コントローラ１５からの制御信号に従って、ズームレンズ１１を光軸方向に駆動する（Ｓ２０５）。このときの動きを、図３のＡに示す。図３Ａに示すように、コントローラ１５は、読み出したズーム倍率情報に相当するパルスをズームモータ２２に与え、ズーム倍率は前回電源ＯＦＦ時のズーム倍率と等しくなる。
【００３７】
一方、読み出した情報が機能不設定情報（例えば、８０００）である場合、コントローラ１５は、ズームレンズ１１を広角端に移動させるよう、ズームモータ２２に対して制御信号を発信する。具体的には、コントローラ１５は、３９００のパルスをズームモータ２２に与える。そして、ズームモータ２２は、コントローラ１５からの制御信号に従って、ズームレンズ１１を光軸方向に駆動する（Ｓ２０６）。このときの動きを、図３のＢに示す。図３Ｂに示すように、コントローラ１５は、３９００のパルスをズームモータ２２に与え、ズーム倍率は１倍となる。これはデジタルカメラ１にデフォルト値として与えられている設定である。
【００３８】
２−２  スルー画像表示中の動作
デジタルカメラ1は、ＣＣＤイメージセンサ１２で撮像した動画をメモリーカード（図示省略）などに記録しない状態で、表示部（図示省略）に表示させることができる。このような記録をしない動画をスルー画像という。スルー画像を表示することによって、ユーザーは、静止画撮像時の画角を容易に決定することができる。
【００３９】
以下、スルー画像表示中のデジタルカメラ１の動作を、図４のフローチャートを用いて説明する。
【００４０】
コントローラ１５は、ＣＣＤイメージセンサ１２で撮像した動画像データを、メモリーカード（図示省略）に記録しないで、表示部（図示省略）に表示させるように制御する。そして、コントローラ１５は、記録画像の撮像指示を待ち受ける。この状態は、スルー画像を表示している状態である。
【００４１】
スルー画像を表示している状態において、コントローラ１５は、ズーム倍率変更操作手段が操作されるか否かを監視する（Ｓ４０１）。そして、ズーム倍率変更操作手段が操作されると（Ｓ４０１におけるＹｅｓの場合）、コントローラ１５は、ズーム倍率変更操作手段からの指示に応じて、ズームモータ２２に制御信号を発信する。ズームモータ２２は、コントローラ２２からの制御信号にしたがって、ズームレンズ１１を駆動する（Ｓ４０２）。これにより、ズーム倍率を変更できる。
【００４２】
次に、コントローラ１５は、フラッシュメモリ１７からズーム操作フラグを読み出す。そして、コントローラ１５は、ズーム操作フラグが１である場合は（Ｓ４０３における「１」の場合）、直ぐにステップＳ４０５に移行する。一方、コントローラ１５は、ズーム操作フラグが０である場合は（Ｓ４０３における「０」の場合）、ズーム操作フラグを１に変更して（Ｓ４０４）ステップＳ４０５に移行する。いずれにしても、ズーム倍率変更操作手段が操作されると、ズーム操作フラグとして１が設定される。
【００４３】
以上の動作期間中、コントローラ１５は、電源スイッチ１９がＯＦＦ操作されるかどうかを監視する（Ｓ４０５）。
【００４４】
２−３  電源ＯＦＦ時の動作
次に、電源コントローラ２０がＯＦＦ制御を開始した際のデジタルカメラ１の動作を、図５を用いて説明する。
【００４５】
上述のように、スルー画像の表示動作期間中、コントローラ１５は、電源スイッチ１９がＯＦＦ操作されるかどうかを監視する（Ｓ４０５）。
【００４６】
電源スイッチ１９がＯＦＦ操作されて、電源コントローラ２０が電源ＯＦＦ動作を開始すると（Ｓ５０１におけるＹｅｓの場合）、コントローラ１５は、現在、ズームメモリ機能が設定されているか否かを把握する。ズームメモリ機能が設定されていなければ（Ｓ５０１におけるＮｏの場合）、コントローラ１５は、機能不設定情報として、８０００という値をズームメモリに記憶させる。一方、ズームメモリ機能が設定されていれば（Ｓ５０１におけるＹｅｓの場合）、ステップＳ５０２に移行する。
【００４７】
ステップＳ５０２において、コントローラ１５はフラッシュメモリ１７からズーム操作フラグを読み出す。ズーム操作フラグが「０」の場合、コントローラ１５は、フラッシュメモリ１７内のズームメモリ内に記憶されている情報を更新しない。すなわち、ズームメモリ内に記憶されている情報がズーム倍率情報の場合、その情報が示す値を変更せず、ズームメモリ内に記憶されている情報が機能不設定情報の場合、機能不設定情報を記憶させたままとする。ズーム操作フラグが「０」であるということは、今回の電源ＯＮ期間においてズーム変更操作手段が操作されていないということである。そのため、ズーム倍率について、次回の電源ＯＮ時も今回の電源ＯＮ時と同様の制御をすればよい。そこで、ズームメモリ内に記憶された情報を更新する必要がないのである。これにより、電源ＯＦＦ時の動作を迅速にできる。
【００４８】
また、ズーム変更操作手段が操作されていない場合、ズームメモリ内の情報を更新しないので、次回の電源ＯＮ時のズームメモリ内の情報を今回の電源ＯＮ時の情報と全く同一にすることができるので、ズーム状態に誤差が生じない。仮に、電源ＯＦＦの度にズームメモリ内の情報を現在のズーム倍率情報で更新した場合、ズーム変更操作手段が操作されていないにも関わらず、今回の電源ＯＮ時の情報とは異なる情報がズームメモリ内に格納される可能性がある。駆動量検出部２３等の駆動誤差などのためである。そうすると、電源ＯＦＦの度にズームメモリ内の情報を更新した場合、次回の電源ＯＮ時のズームメモリ内の情報と今回の電源ＯＮ時の情報とで誤差が生じることになり、正確に前回のズーム状態を再現できなくなる。また、このズーム倍率ずれが累積することにより、ズーム状態が大きくずれることも考えられる。そこで、本発明では、ズーム変更操作手段が操作されていない場合、ズームメモリ内の情報を更新しないようにしている。これにより、ズーム状態がずれてしまうことを防止できる。
【００４９】
一方、ステップＳ５０２において、ズーム操作フラグが「１」の場合、コントローラ１５は、フラッシュメモリ１７内のズームメモリ内に記憶されている情報を、現在のズーム倍率情報に更新する（Ｓ５０４）。すなわち、電源２１がＯＮされてから電源コントローラ１５が電源ＯＦＦの制御を開始するまでの間のいずれかにおいて、ズーム倍率変更操作手段がズーム倍率を変更するための操作を受け付けている場合、コントローラ１５は、現在の撮像手段におけるズーム倍率に関する情報を記憶するようフラッシュメモリ１７を更新するのである。
【００５０】
その後、コントローラ１５は、ズームレンズ１１を収納するよう、ズームモータ２２に対して制御信号を発信する。ズームモータ２２はこれを受けてズームレンズ１１を図３に示すホームポジションに移動する（Ｓ５０６）。そして、電源コントローラ２０は、デジタルカメラ１への電源供給を停止するよう電源２１を制御する。以上により一連の動作を終了する。
【００５１】
３  まとめ
本発明の実施の形態１に係るデジタルカメラ１は、ズームレンズ１１とＣＣＤイメージセンサ１２と電源２１と電源コントローラ２０とコントローラ１５とフラッシュメモリ１７とを備える。ズームレンズ１１とＣＣＤイメージセンサ１２を含む構成により、ズーム機能を有する撮像手段を構成する。電源コントローラ２０は自装置の電源２１のＯＮ／ＯＦＦを切り換える。フラッシュメモリ１７は、撮像手段におけるズーム倍率に関する情報を記憶する。ズーム倍率変更操作手段は、撮像手段におけるズーム倍率を変更するための操作を受け付ける。コントローラ１５は、ズーム倍率記憶機能を設定可能である。ズーム倍率記憶機能は、電源２１をＯＦＦしたときと次回に電源２１をＯＮしたときとで撮像手段におけるズーム倍率を変えないようにする機能である。また、コントローラ１５は、フラッシュメモリ１７を制御する。
【００５２】
この場合において、コントローラ１５は、電源コントローラ２０が電源ＯＦＦの制御を開始した際に、コントローラ１５でズーム倍率記憶機能が設定されている場合において、次のようにフラッシュメモリ１７を制御する。まず、電源２１がＯＮされてから電源コントローラ２０が電源ＯＦＦの制御を開始するまでの間のいずれかにおいて、ズーム倍率変更操作手段がズーム倍率を変更するための操作を受け付けている場合、現在の撮像手段におけるズーム倍率に関する情報を記憶するようフラッシュメモリ１７内の所定領域（ズームメモリ）を更新する。一方、電源２１がＯＮされてから電源コントローラ２０が電源ＯＦＦの制御を開始するまでの間のいずれにおいても、ズーム倍率変更操作手段がズーム倍率を変更するための操作を受け付けていない場合、ズームメモリを更新しない。
【００５３】
これにより、ズーム変更操作手段が操作されていないにも関わらず、次回の電源ＯＮ時と今回の電源ＯＮ時とでズーム状態がずれてしまうことを防止できる。
【００５４】
また、コントローラ１５は、電源コントローラ２０が電源ＯＦＦの制御を開始した際に、次のようにフラッシュメモリ１７を制御する。すなわち、コントローラ１５でズーム倍率記憶機能が設定されている場合、コントローラ１５は、撮像手段におけるズーム倍率に関する情報をズームメモリに記憶するようフラッシュメモリ１７を制御する。一方、コントローラ１５でズーム倍率記憶機能が設定されていない場合、コントローラ１５は、撮像手段におけるズーム倍率に関する情報に代えて、ズーム倍率記憶機能は設定されていない旨をズームメモリに記憶するようフラッシュメモリ１７を制御する。
【００５５】
これにより、ズーム倍率情報及び機能不設定情報を、フラッシュメモリ１７の同一記憶領域（ズームメモリ）に、択一的に記憶するようにしたので、フラッシュメモリ１７の使用容量を節約できる。また、ズーム倍率情報及び機能不設定情報をズームメモリに択一的に記憶するようにしたため、ズーム倍率情報及び機能不設定情報を読み出す際、ズームメモリのみを参照すればよいので、ズーム倍率情報及び機能不設定情報の読み出し処理を迅速にできる。仮に、ズーム倍率情報及び機能不設定情報を、それぞれ別々の記憶領域に記憶することとした場合、２つの情報を同時に有する必要があるため、フラッシュメモリ１７の使用容量が大きくなる。また、ズーム倍率情報及び機能不設定情報を別々に読み出さなければならないため、読み出し処理がその分だけ遅くなる。
【００５６】
なお、本実施の形態では、電源スイッチ１９を切り替えることにより、電源２１をＯＮ又はＯＦＦする際の動作について説明したが、本発明はこれに限定されない。例えば、電源コントローラ２０はオートパワーオフ機能を備え、その機能により、電源２１をＯＮ又はＯＦＦする際の動作においても本発明は適用可能である。
【００５７】
また、ズーム倍率記憶機能は、メニュー画面を用いて設定又は設定解除を行ってもよい。また、機械的な操作手段を用いて、ズーム倍率記憶機能の設定又は設定解除を行ってもよい。
【００５８】
また、本実施の形態では、ズーム倍率情報として、ズームモータ２２の駆動パルス数をカウントした値を用いたが、これには限定されない。例えば、ズームレンズ１１の光軸方向の位置を測定し、その測定結果を示す値をズーム倍率情報として用いてもよい。要するに、ズーム倍率情報は、被写体像のズーム倍率を示す情報であればよい。
【００５９】
また、本実施の形態では、ズーム倍率情報として、光学ズームの倍率の情報を用いたが、これには限らない。光学ズームの倍率に加えて、電子ズームの倍率に関する情報を用いてもよく、電子ズームの倍率に関する情報だけを用いてもよい。いずれにしても、電子ズームの倍率に関する情報を用いる場合、ズーム倍率記憶機能が起動しているとき、電源ＯＮ時には前回の電源ＯＦＦ時のズーム状態を再現するために、電子ズーム処理手段も起動する必要がある。
【００６０】
また、本実施の形態では、ズームモータのパルス数の設定値として、３９００等具体的な数値を用いて説明したが、本発明はこのような具体的な設定値に限定されない。
【産業上の利用可能性】
【００６１】
本発明は、光学ズームや電子ズームなどのズーム機能を備える撮像装置に適用できる。より具体的には、デジタルスチルカメラやムービー、カメラ機能付き携帯電話端末などに適用可能である。
【図面の簡単な説明】
【００６２】
【図１】本発明の実施の形態に係るデジタルカメラの構成を示すブロック図
【図２】本発明の実施の形態に係るデジタルカメラの電源ＯＮ時の動作を説明するためのフローチャート
【図３】ズーム倍率メモリ機能とズームレンズの動作との関係を示す模式図
【図４】本発明の実施の形態に係るデジタルカメラのスルー画像表示中の動作を説明するためのフローチャート
【図５】本発明の実施の形態に係るデジタルカメラの電源ＯＦＦ時の動作を説明するためのフローチャート
【符号の説明】
【００６３】
１１    ズームレンズ
１２    ＣＣＤイメージセンサ
１５    コントローラ
１７    フラッシュメモリ
１８    操作部
１９    電源スイッチ
２０    電源コントローラ
２１    電源
２２    ズームモータ
２３    駆動量検出部
【図１】
2008170662.tif 000003
【図２】
2008170662.tif 000004
【図３】
2008170662.tif 000005
【図４】
2008170662.tif 000006
【図５】
2008170662.tif 000007